(57)【特許請求の範囲】
【請求項１】
被結束体に巻き付けられる紐状体と、被結束体に巻き付けられた上記紐状体の巻付け始部と巻付け終部とを離脱可能に保持する保持部を備えた止め具とからなり、
上記止め具の保持部が板片状に形成されており、その保持部に、紐状体の巻付け始部と巻付け終部とが差し込まれる切込みが設けられ、上記紐状体は、上記巻付け始部又は上記巻付け終部が上記切込みに差し込まれているときに上記保持部に係止する係止手段を備えており、
上記保持部が、く字形に連設された２つの板状片部に分かれており、一方の板状片部に上記巻付け始部に対する切込みが形成され、他方の板状片部に上記巻付け終部に対する切込みが形成されていると共に、一方の板状片部に形成された切込みの長さ方向と他方の板状片部に形成された切込みの長さ方向とが互いに直交する方向になっていることを特徴とする結束具。
【請求項２】
上記止め具が把手部を有する請求項１に記載の結束具。
【請求項３】
上記紐状体が弾性部材でなる請求項１又は請求項２に記載の結束具。
【請求項４】
上記係止手段が、紐状体に設けられた凸部でなる請求項１、請求項２、請求項３のいずれかに記載の結束具。
【発明の詳細な説明】
【０００１】
【発明の属する技術分野】
本発明は結束具、詳しくは、電気配線などに使われるハーネスといた線材やその他の被結束体を束ねることに用いられる結束具に関する。
【０００２】
【従来の技術】
従来、多数本のハーネスを運搬のために束ねるときには、引き伸ばしたゴムバンドを多数本のハーネスに数回に亘って巻き付けていた。このようなゴムバンドによる結束は、ハーネスをたとえば施工場所まで運搬するときの便宜のために行われることが多い。
【０００３】
【発明が解決しようとする課題】
しかしながら、従来のようにただ単にゴムバンドを用いてハーネスを束ねるという作業を行うと、ゴムバンドを引き伸ばしながらハーネスに数回に亘って巻き付けるときに、作業者が誤って指を挾み込んだりする危険があった。
【０００４】
本発明は、以上の状況のもとでなされたものであり、ハーネスなどの被結束体を簡便にかつ安全に束ねることが可能になる結束具を提供することを目的とする。
【０００５】
【課題を解決するための手段】
本発明に係る結束具は、被結束体に巻き付けられる紐状体と、被結束体に巻き付けられた上記紐状体の巻付け始部と巻付け終部とを離脱可能に保持する保持部を備えた止め具とからなる。この結束具によると、ハーネスやその他の被結束体に巻き付けた紐状体の巻付け始部と巻付け終部とを止め具の保持部に保持させるだけで結束が完了する。また、止め具の保持部に保持されている紐状体の巻付け始部又は巻付け終部をその保持部から取り外すことによって結束を解くことができる。
【０００６】
上記止め具の保持部は、金属あるいはプラスチックなどの材料で板片状に形成することが可能である。保持部を板片状に形成した場合には、その保持部に、紐状体の巻付け始部と巻付け終部とが差し込まれる切込みが設けられており、上記紐状体は、上記巻付け始部又は上記巻付け終部が上記切込みに差し込まれているときに上記保持部に係止する係止手段を備えることが望ましい。このようになっていると、被結束体に巻き付けた紐状体の巻付け始部と巻付け終部とを保持部の切込みに差し込んだときに、紐状体に設けられている係止手段が保持部に係止して保持部から紐状体が離脱することを阻止する。なお、紐状体に設けられる上記係止手段は、切込みを通過し得ない大きさの凸部によって形成することが可能である。
【０００７】
【０００８】
本発明において、保持部を、く字形に連設された２つの板状片部に分け、一方の板状片部に上記巻付け始部に対する切込みを形成し、他方の板状片部に上記巻付け終部に対する切込みを形成する。この場合には、一方の板状片部に形成された切込みの長さ方向と他方の板状片部に形成された切込みの長さ方向とが互いに直交する方向になっていることが望ましい。このようになっていると、紐状体の巻付け始部や巻付け終部を切込みに差し込む作業を容易に行えるようになる。また、一旦切込みに差し込んだ巻付け始部や巻付け終部がその切込みから抜け出しにくくなる。
【０００９】
上記保持部に、上記止め具が把手部を有することが望ましい。この結束具において、把手部と被結束体とを掌で掴むことによって把手部を被結束体に押え付けるようにすれば、紐状体による結束箇所に手の指が突き出るような事態が起こらないので、紐状体を被結束体に巻き付けるときに手の指を挾み込むという事態が起こりにくくなり、安全性の高い結束具が得られる。
【００１０】
上記紐状体が弾性部材でなることが望ましい。この発明によると、紐状体を引き伸ばして被結束体を束ねることができるので、きつく結束することが可能になり、また、一旦結束した箇所が緩まない。
【００１１】
【発明の実施の形態】
図１は第１実施例による結束具に用いられる止め具Ａの平面図、図２は図１のＩＩ線矢視図、図３は使用状態正面図である。
【００１２】
図１及び図２に示した止め具Ａは、板片状に形成された保持部１と、この保持部１に連設された細長いアーム状の把手部５とを一体に有している。この止め具Ａは金属製であってもプラスチック製であってもよい。
【００１３】
保持部１は、く字形、より具体的には直角に連設された２つの板状片部１２，１３に分かれていて、それぞれの板状片部１２，１３にスリット状の切込み１４，１５が形成されている。一方の板状片部１２の切込み１４は、その板状片部１２の先端から上記把手部５に近付く方向に延びている。そして、この切込み１４の入口部分１６が小突起１７によって常時は狭くなっていると共に、その入口部分１６の外側には外拡がりの呼込みガイド口１８が備わっている。さらに、この切込み１４の最奥部分は円形の丸穴１４ａに形成されている。これに対し、他方の板状片部１３に形成されている切込み１５は、その板状片部１３の先端から一方の板状片部１２に近付く方向に延びている。そのため、一方の板状片部１２の切込み１４の長さ方向と他方の板状片部１３の切込み１５の長さ方向とが互いに直交している。また、切込み１５の入口部分１９は小突起２０，２１によって常時は塞がれていると共に、その入口部分１９の外側には外拡がりの呼込みガイド口２２が備わっている。
【００１４】
図７は上記した止め具Ａと共に結束具を形成する紐状体Ｂの側面図である。この紐状体Ｂは、ゴム紐などで形成されていて、その弾性に抗して引き伸ばすことが可能な弾性部材でなる。この紐状体Ｂは、所定の間隔を隔てた複数箇所に凸部７を一体に備えている。
【００１５】
図１〜図３を参照して、上記した止め具Ａと紐状体Ｂとを用いて被結束体Ｃを結束するときの手順の一例を説明する。被結束体Ｃに止め具Ａの把手部５を沿わせて把手部５と被結束体Ｃとを掌で掴み、その状態から、最初に紐状体Ｂの所定箇所を、一方の板状片部１２の切込み１４にその入口部分１６をくぐらせて差し込むことによって丸穴１４ａに嵌め込む。次に、紐状体Ｂを被結束体Ｃに一回巻き付けて他の所定箇所を、他方の板状片部１３の切込み１５にその入口部分１９をくぐらせて差し込む。一方の切込み１４に紐状体Ｂの巻付け始部７１を差し込むときには、外拡がりの呼込みガイド口１８がその差込作業を容易に行うことに役立ち、他方の切込み１５に紐状体Ｂの巻付け終部７２を差し込むときには、外拡がりの呼込みガイド口２２がその差込作業を容易に行うことに役立つ。紐状体Ｂを被結束体Ｃに巻き付けるときには、紐状体Ｂを引き伸ばしておくことが望ましく、そのようにすると、被結束体Ｃが紐状体Ｂによってきつく結束され、しかも、一方の切込み１４に差し込まれた紐状体Ｂの巻付け始部７１の外側位置に設けられている凸部７が一方の板状片部１２に確実に係止し、他方の切込み１５に差し込まれた紐状体Ｂの巻付け終部７２の外側位置に設けられている凸部７が他方の板状片部１３に確実に係止するので、紐状体Ｂが保持部１から離脱しなくなる。被結束体Ｃには、たとえば多数本のハーネスが選ばれる。
【００１６】
この実施例のように、把手部５と被結束体Ｃとを掌で掴むことによって把手部５を被結束体Ｃに押え付けるようにして結束を行えば、掌による掴み箇所と結束箇所とが別々の箇所になるので、紐状体Ｂを被結束体Ｃに巻き付けるときに手の指を挾み込むという危険性が少なくなって安全性が高まる。その上、く字形をなす２つの板状片部１２，１３に互いに直交する方向に延びる切込み１４，１５が設けられているので、紐状体Ｂの巻付け始部７１や巻付け終部７２を切込み１４，１５に差し込む作業を容易に行えるようになり、しかも、一旦切込み１４，１５に差し込んだ巻付け始部７１や巻付け終部７２がその切込み１４，１５から抜け出しにくくなる。
【００１７】
結束を解くときには、紐状体Ｂの巻付け始部７１又は巻付け終部７２を切込み１４，１５から取り外せばよい。
【００１８】
図４は第２実施例による結束具に用いられる止め具Ａの平面図、図５は図４のＶ線矢視図、図６は使用状態正面図である。
【００１９】
図４及び図５に示した止め具Ａは、平坦な板片状に形成された保持部１と、この保持部１に連設された板片状の把手部５とを一体に有し、全体として平面視卵形に形成されている。この止め具Ａは金属製であってもプラスチック製であってもよい。なお、止め具Ａの形状は平面視卵形以外であってもよく、その形状は限定されない。
【００２０】
保持部１には、スリット状の切込み１４，１５が横に並べて形成されている。これらの各切込み１４，１５は、保持部１の先端から把手部５に近付く方向に延びている。切込み１４，１５の入口部分１６，１９が小突起１７，１７によって常時は狭くなっている。そして、これらの切込み１４，１５の入口部分１６，１９の外側には外拡がりの呼込みガイド口１８，２２が備わっている。さらに、これらの切込み１４，１５の最奥部分は円形の丸穴１４ａ，１５ａに形成されている。
【００２１】
図４〜図６を参照して、被結束体Ｃを結束するときの手順の一例を説明する。被結束体Ｃに止め具Ａの把手部５を沿わせて把手部５と被結束体Ｃとを掌で掴み、その状態から、最初に紐状体Ｂの所定箇所を、止め具Ａ側の保持部１の一方の切込み１４に入口部分１６から差し込んでその切込み１４の丸穴１４ａに嵌め込む。次に、紐状体Ｂを被結束体Ｃに一回巻き付けて他の所定箇所を、止め具Ａ側の保持部１の他方の切込み１５に入口部分１９から差し込む。一方の切込み１４に紐状体Ｂの巻付け始部７１を差し込むときには、外拡がりの呼込みガイド口１８がその差込作業を容易に行うことに役立ち、他方の切込み１５に紐状体Ｂの巻付け終部７２を差し込むときには、外拡がりの呼込みガイド口２２がその差込作業を容易に行うことに役立つ。紐状体Ｂを被結束体Ｃに巻き付けるときには、紐状体Ｂを引き伸ばしておくことが望ましく、そのようにすると、被結束体Ｃが紐状体Ｂによってきつく結束され、しかも、一方の切込み１４に差し込まれた紐状体Ｂの巻付け始部７１の外側位置に設けられている凸部７が一方の板状片部１２に確実に係止し、他方の切込み１５に差し込まれた紐状体Ｂの巻付け終部７２の外側位置に設けられている凸部７が他方の板状片部１３に確実に係止するので、紐状体Ｂが保持部１から離脱しなくなる。被結束体Ｃには、たとえば多数本のハーネスが選ばれる。
【００２２】
この実施例においても、把手部５と被結束体Ｃとを掌で掴むことによって把手部５を被結束体Ｃに押え付けるようにして結束を行えば、紐状体Ｂによる結束箇所に手の指が突き出るような事態が起こらないので、紐状体Ｂを被結束体Ｃに巻き付けるときに手の指を挾み込むという危険性が少なくなって安全性が高まる。
【００２３】
結束を解くときには、紐状体Ｂの巻付け始部７１又は巻付け終部７２を切込み１４，１５から取り外せばよい。
【００２４】
図８は変形例による紐状体Ｂの側面図である。この紐状体Ｂにおいて、図７の紐状体Ｂと異なる点は、図７の紐状体の係止手段が平面視半円形の凸部７でなるのに対し、図８の紐状体Ｂの係止手段が平面視円形の凸部７でなる点だけである。図７や図８には断面円形又は断面多角形の紐状体Ｂを示してあるけれども、紐状体は、断面が偏平な形になった帯状体によって形成することも可能である。
【００２５】
以上説明した各実施形態において、小突起１７は、切込み１４，１５から紐状体Ｂが抜け出ることを防ぐことに役立つ。なお、図１〜図８では、同一又は相応する部分に同一符号を付して説明を簡略化した。
【００２６】
【発明の効果】
以上のように、本発明に係る結束具によれば、多数本のハーネスなどの被結束体を束ねることができる。また、多数本のハーネスなどの被結束体を束ねるときに、きつく束ねることが可能であり、また、結束作業を安全に行うことができる。したがって、ハーネスを束ねて運搬するようなときに便利に使用することができるものである。
【図面の簡単な説明】
【図１】  本発明の第１実施例による結束具に用いられる止め具の平面図である。
【図２】  図１のＩＩ線矢視図である。
【図３】  使用状態正面図である。
【図４】  本発明の第２実施例による結束具に用いられる止め具の平面図である。
【図５】  図４のＶ線矢視図である。
【図６】  使用状態正面図である。
【図７】  紐状体の側面図である。
【図８】  変形例による紐状体の側面図である。
【符号の説明】
Ａ  止め具
Ｂ  紐状体
Ｃ  被結束体
１  保持部
５  把手部
７  凸部（係止手段）
１２，１３  板状片部
１４，１５  切込み
７１  巻付け始部
７２  巻付け終部
【図１】
0003807711.tif 000002
【図２】
0003807711.tif 000003
【図３】
0003807711.tif 000004
【図４】
0003807711.tif 000005
【図５】
0003807711.tif 000006
【図６】
0003807711.tif 000007
【図７】
0003807711.tif 000008
【図８】
0003807711.tif 000009